(57)【要約】      （修正有）【課題】異なるタイプの粘着付箋を収められ、連続して取り出せる仕組みになっている粘着付箋ディスペンサーを提供する。【解決手段】外形が対称的に設けられた第一筐体１０、第二筐体１２を備えてなる平らなディスペンサーであり、該第一筐体１０、該第二筐体１２周縁の対称した内側面にはそれぞれ、嵌め合うためのポスト穴１０４とリブ１２４が設けられ、それを嵌め合わせてなるディスペンサーであり、該第一筐体１０、第二筐体１２の内部にはどれも、複数の粘着付箋セット２をそれぞれ収めるように、仕切板１０１で複数の収納スペース１０２に仕切られ、各粘着付箋セット２は、該ディスペンサー周縁の複数の開口部に対応して、それぞれ引き出されることになっている。【選択図】図１
0003220610.tif 000002
【実用新案登録請求の範囲】
【請求項１】
外形が対称的に設けられた第一筐体、第二筐体を備えてなる平らなディスペンサーであり、該第一筐体、該第二筐体周縁の対称した内側面にはそれぞれ、嵌め合うためのポスト穴とリブが設けられ、それを嵌め合わせてなるディスペンサーであり、該第一筐体、第二筐体の内部にはどれも、複数の粘着付箋セットをそれぞれ収めるように、仕切板で複数の収納スペースに仕切られ、各粘着付箋セットは、該ディスペンサー周縁の複数の開口部に対応して、それぞれ引き出されることになっていることを特徴とする粘着付箋ディスペンサー。
【請求項２】
該第一筐体、該第二筐体を組み合わせてなる平らな円形のディスペンサーであることを特徴とする請求項1に記載の粘着付箋ディスペンサー。
【請求項３】
該第一筐体、該第二筐体を組み合わせてなる平らな方形のディスペンサーであることを特徴とする請求項1に記載の粘着付箋ディスペンサー。
【請求項４】
該第一筐体、該第二筐体を組み合わせてなる平らな三角形のディスペンサーであることを特徴とする請求項1に記載の粘着付箋ディスペンサー。
【請求項５】
該第一筐体、該第二筐体を組み合わせてなる車型のディスペンサーであることを特徴とする請求項1に記載の粘着付箋ディスペンサー。
【考案の詳細な説明】
【技術分野】
【０００１】
本考案は、外形が対称的に設けられた第一筐体、第二筐体を備えてなる種々の形状を有する平らなディスペンサーであり、複数の粘着付箋セットの設置と使用に供するための粘着付箋ディスペンサーを提供する。
【背景技術】
【０００２】
粘着付箋紙・メモはいつでも、重要事項の書き入れ、メモ書きや連絡事項によく用いられるものであり、よくある粘着付箋紙・メモは、複数の紙を重ねてなり、各紙の同じ側の底面にある縁部の局所に、適当な粘着力を有する裏側が形成され、使用寿命を延ばし、繰り返し使用可能という効果があり、使用のとき、ユーザは実際なニーズや好みにより、異なるサイズの粘着付箋を選び出したり、自ら補充したりすることができる粘着付箋セットである。
【０００３】
取り外してすぐ使えるというメリットで、多くの人たちに愛用されている粘着付箋だが、長時間使用されたあと、使用者はその一枚を取り外そうとしても、付箋セットから簡単に取り外せないことから、まず、片手で付箋セットを押さえながら、もう一方の片手で、それをうまく取り外せるようになることが分かること、粘着付箋は薄い紙を使用され、その一枚を取り外されたあと、続いて、必ず同じ動作を行って取り外されることになっており、ガイド装置がなければ、取り外して使用するのが更に難しくなることから、粘着付箋ディスペンサーを作り、粘着付箋をうまく取り外し、上述した問題を解決することができる。しかし、携帯用粘着付箋ディスペンサーは体積的に、持ち歩くには、ディスペンサーの利用空間を適当に仕切られ、軽くて薄いサイズが求められ、そして、複数の粘着付箋セットを共に持ち歩くことが必要となるため、ディスペンサー構造空間の仕切り、及び機能的要求、見た目のよさを業者が努力するオリジナルな目標である。
【考案の概要】
【考案が解決しようとする課題】
【０００４】
本考案は、オリジナルなデザインであると同時に、持ち歩きやすく、机の上に置かれても使用可能で、それに、異なるタイプの粘着付箋を収められ、一枚付箋を取り出すと、次の一枚が該ディスペンサーの外側へ出てくる、という連続して取り出せる仕組みになっている粘着付箋ディスペンサーを提供することを目的とする。
【課題を解決するための手段】
【０００５】
上述した目的を達成させるため、本考案は、外形が対称的に設けられた第一筐体、第二筐体を備えてなる種々の形状を有する平らなディスペンサーであり、該第一筐体、該第二筐体周縁の対称した内側面にはそれぞれ、嵌め合うためのポスト穴とリブが設けられ、それを嵌め合わせてなるディスペンサーであり、該組み立てられたディスペンサーの内部には、複数の粘着付箋セットを収めるための複数の収納スペースが設置され、粘着付箋セットはそれぞれ、複数の開口部に対応し、別々取り出されることになり、一枚付箋を取り出すと、次の一枚が該ディスペンサーの外側へ出てくる仕組みになっており、粘着付箋が使い切れたとき、該ディスペンサーを取外して、そこへ粘着付箋セットの詰め替えや補充を行うことに設けられている粘着付箋ディスペンサーを提供することを特徴とする。
【０００６】
上述した該第一筐体、該第二筐体は、透明または不透明なものに設けられることを特徴とする。
【０００７】
上述した該ディスペンサーは、外形が平らな円形、平らな方形、 平らな三角形又は車型の形をする粘着付箋ディスペンサーであり、該ディスペンサーの内部は仕切板で、複数の収納スペースに仕切られ、複数のスティック状粘着付箋セットを収められるように設けられることを特徴とする。
【図面の簡単な説明】
【０００８】
【図１】本考案の平らな円形の粘着付箋ディスペンサーの分解図である。
【図２】本考案の平らな円形の粘着付箋ディスペンサーの組立図である。
【図３】本考案の平らな円形の粘着付箋ディスペンサーのもう一つの実施例図である。
【図４】本考案の平らな円形の粘着付箋ディスペンサーのもう一つの実施例の分解図である。
【図５】本考案の平らな円形の粘着付箋ディスペンサーのまたもう一つの実施例図である。
【図６】本考案の平らな方形の粘着付箋ディスペンサーの分解図である。
【図７】本考案の平らな方形の粘着付箋ディスペンサーの組立図である。
【図８】本考案の平らな三角形の粘着付箋ディスペンサーの分解図である。
【図９】本考案の平らな三角形の粘着付箋ディスペンサーの組立図である。
【図１０】本考案の車型の粘着付箋ディスペンサーの分解図である。
【図１１】本考案車型の粘着付箋ディスペンサーの組立図である。
【考案を実施するための形態】
【０００９】
図1、図2に示すのは、本考案の平らな円形の粘着付箋ディスペンサーの実施例図で、持ち歩きやすく、複数の粘着付箋セットを収め、机の上に置かれ、そこから取り外して使用できるものであり、本考案の粘着付箋ディスペンサーは、平らな円形をし、外形が対称的に設けられた第一筐体(10)、第二筐体(12)を組み合わせてなる平らな円形のディスペンサー(1)であり、該第一筐体(10)と該第二筐体(12)は、透明又は不透明な円形筐体であり、該第一筐体(10)と該第二筐体 (12)の内部はどれも、対称的に設けられた仕切板(101,121)で、複数の収納スペース(102,122)に仕切られ、複数のスティック状粘着付箋セット(2)をそれぞれ収められ、各スティック状粘着付箋セット(2)はそれぞれ、開口部(11)に対応し、取り出されることになっており、該開口部(11)は、方形をし、該粘着付箋セット(2)の同じ数で、それぞれ、該ディスペンサー(1)の周縁に設けられ、各開口部(11)は該第一筐体(10)と該第二筐体(12)周縁にある、対称した切込み口(103,123)を組み合わせてなるものである。
【００１０】
上述した該平らな円形のディスペンサー(1)の組立てでは、該第一筐体(10)と該第二筐体(12)周縁の対称した内側面には、対応する二ポスト穴(104)及二リブ(124)が設置、それにより、該第一筐体(10)、該第二筐体(12)を嵌め込ませて、平らな円形のディスペンサー(1)に設けられるが、そして、該第一筐体(10)と該第二筐体(12)自体の構造は、相互交換可能なように設けられる。
【００１１】
図3に示すように、上述した該第一筐体(10)と該第二筐体(12)を組み立て後、その一組のポスト穴(104)とリブ(124)の両側にはそれぞれ、ロープ(3)が通すための通し穴(13)が設けられる。 
【００１２】
図4、図5に示すように、本考案のディスペンサー(1)は上述したように、ロープ(3)が通るための通し穴が設けられるほかに、更に、該第一筐体(10)又は該第二筐体(12)の四周には、切込み口(103,123)がないところに、特に浅い切込み口(13)が設けられるが、それにより、実施使用上、該粘着付箋セット(2)が使い切れたとき、二本の指だけで、該浅い切込み口(13)から開ければ、ディスペンサーを簡単に取外され、そこへ粘着付箋セット(2)の詰め替えや補充を素早く行なうことに設けられる。
【００１３】
図6、図7に示すのは、本考案の方形の粘着付箋ディスペンサーの実施例図であり、平らな方形のディスペンサー(4)は透明又は不透明な方形をし、外形が対称的に設けられた第一筐体(40)と第二筐体(42)を組み合わせてなり、該第一筐体(40)と該第二筐体(42)の内部はどれも、仕切板(401,421)で複数の収納スペース(402,422)に仕切られ、複数のスティック状粘着付箋セット(2)を収められ、各スティック状粘着付箋セット(2)はそれぞれ、開口部(41)に対応し、取り出されることになっており、該開口部(41)は方形をし、それぞれ、該ディスペンサー(4)周縁の対向した長辺に設けられ、各開口部(41)は、該第一筐体(40)と該第二筐体(42)周縁にある、対称した切込み口(403,423)を組み合わせてなるものである。
【００１４】
該平らな方形のディスペンサー(4)の組立てでは、該第一筐体(40)と該第二筐体(42)周縁の対向した短辺にはそれぞれ、対応する一ポスト穴(404)と一リブ(424)が設置、それにより、該第一筐体(40)、該第二筐体(42)を嵌め込ませて、平らな方形のディスペンサー(4)に設けられるが、そして、該第一筐体(40)と該第二筐体(42)自体の構造は、相互交換可能なように設けられる。 
【００１５】
上述した該ディスペンサー(4)内の複数の収納スペース(402,422)にはそれぞれ、ニーズに応じて、スティック状粘着付箋セット(2)を収められ、各スティック状粘着付箋セット(2)はそれぞれ、該ディスペンサー(4)周縁の長辺にある開口部(41)に対応し、取り出されることになっており、中間部にある収納スペース(402,422)は、予備用のスティック状粘着付箋セット(2)が収められている。
【００１６】
また、上述した平らな方形のディスペンサー(4)の該第一筐体(40)又は該第二筐体(42)の四周には、切込み口(403,423)がないところに、特に浅い切込み口(43)が設けられるが、それにより、実施使用上、該粘着付箋セット(2)が使い切れたとき、二本の指だけで、該浅い切込み口(43)から開ければ、ディスペンサーを簡単に取外され、そこへ粘着付箋セット(2)の詰め替えや補充を素早く行なうことに設けられる。 
【００１７】
図8、図9に示すのは、本考案の平らな三角形の粘着付箋ディスペンサーの実施例図であり、平らな三角形のディスペンサー(5)は透明又は不透明で、外形が対称的に設けられた第一筐体(50)と第二筐体(52)を組み合わせてなり、該第一筐体(50)と該第二筐体(52)の内部はどれも、仕切板(501,521)で複数の収納スペース(502,522)に仕切られ、複数のスティック状粘着付箋セット(2)を収められ、各スティック状粘着付箋セット(2)はそれぞれ、開口部(51)に対応し、取り出されることになっており、該開口部(51)は方形をし、それぞれ、該平らな三角形のディスペンサー(5)の周縁に設けられ、各開口部(51)は、該第一筐体(50)と該第二筐体(52)周縁にある、対称した切込み口(503, 523)を組み合わせてなるものである。
【００１８】
該平らな三角形のディスペンサー(5)の組立てでは、該第一筐体(50)と該第二筐体(52)周縁の対称した内側面の各隅にはそれぞれ、対応する一ポスト穴(504)と一リブ(524)が設置、それにより、該第一筐体(50)、該第二筐体(52)を嵌め込ませて、平らな三角形のディスペンサー(5)に設けられるが、そして、該第一筐体(50)と該第二筐体(52)自体の構造は、相互交換可能なように設けられる。
【００１９】
図10、図11に示すのは、本考案の車型の粘着付箋ディスペンサーの実施例図であり、車型のディスペンサー(6)は、車型の透明又は不透明なもので、外形が対称的に設けられた第一筐体(60)と第二筐体(62)を組み合わせてなり、該第一筐体(60)と該第二筐体(62)の内部はどれも、仕切板(601,621)で複数の収納スペース(602,622)に仕切られ、一組のスティック状粘着付箋セット(2)を収められ、該スティック状粘着付箋セット(2)は開口部(61)に対応して、取り出されることになっており、該開口部(61)は方形をし、該ディスペンサー(6)の周縁(車型のてっぺんに相当するところ)に設けられ、該開口部(61)は、該第一筐体(60)と該第二筐体(52)周縁にある、対称した切込み口(603,623)を組み合わせてなるものである。
【００２０】
該車型のディスペンサー(6)の組立てでは、該第一筐体(60)と該第二筐体(62)周縁の対称した内側面には三角形に分布し、対応する複数のポスト穴(604)とリブ(624)が設置され、それにより、該第一筐体(60)、該第二筐体(62)を嵌め込ませて、車型のディスペンサー(6)に設けられるが、そして、該第一筐体(60)と該第二筐体(62)自体の構造は、相互交換可能なように設けられる。
【００２１】
上述した本考案の四種類の粘着付箋ディスペンサーの実施例では、ディスペンサーの外形が、平らな円形、平らな方形、平らな三角形と車型のタイプに分れ、オリジナルなデザインであると同時に、持ち歩きやすく、机の上に置かれて使用可能で、それに、異なるタイプの粘着付箋セットを収められ、一枚付箋を取り出すと、次の一枚が該ディスペンサーの外側へ出てくる、という連続して取り出せる仕組みになっており、粘着付箋セットが使い切れた時、二本の指で、ディスペンサーの四周にある浅い切込み口を開けると、ディスペンサーを簡単に取外され、そこへ、粘着付箋セットの詰め替えや補充を素早く行なって、それから、該第一筐体、該第二筐体を組み合わせると、ディスペンサーを続けて使用できるようになる。 
【００２２】
ただし、上述したのは、本考案の好適な実施例のみが掲示された内容であり、それを以って、本考案の実施範囲を制限してはならないとし、本考案の実用新案登録請求範囲や本明細書に基づき、その構造の改造、変化などを簡単に行い、それと同等な効果を得たとしても、それらは全て本考案の実用新案登録請求範囲に含まれることとする。
【符号の説明】
【００２３】
１      ディスペンサー
１０    第一筐体
１０１  仕切板
１０２  収納スペース
１０３  切込み口
１０４  ポスト穴
１１    開口部
１２    第二筐体
１２１  仕切板
１２２  収納スペース
１２３  切込み口
１２４  リブ
１３    浅い切込み口
２      スティック状粘着付箋セット
３      ロープ
４      ディスペンサー
４０    第一筐体
４０１  仕切板
４０２  収納スペース
４０３  切込み口
４０４  ポスト穴
４１    開口部
４２    第二筐体
４２１  仕切板
４２２  収納スペース
４２３  切込み口
４２４  リブ
４３    浅い切込み口
５      ディスペンサー
５０    第一筐体
５０１  仕切板
５０２  収納スペース
５０３  切込み口
５０４  ポスト穴
５１    開口部
５２    第二筐体
５２１  仕切板
５２２  収納スペース
５２３  切込み口
５２４  リブ
６      ディスペンサー
６０    第一筐体
６０１  仕切板
６０２  収納スペース
６０３  切込み口
６０４  ポスト穴
６１    開口部
６２    第二筐体
６２１  仕切板
６２２  収納スペース
６２３  切込み口
６２４  リブ
【図１】
0003220610.tif 000003
【図２】
0003220610.tif 000004
【図３】
0003220610.tif 000005
【図４】
0003220610.tif 000006
【図５】
0003220610.tif 000007
【図６】
0003220610.tif 000008
【図７】
0003220610.tif 000009
【図８】
0003220610.tif 000010
【図９】
0003220610.tif 000011
【図１０】
0003220610.tif 000012
【図１１】
0003220610.tif 000013